(57)【特許請求の範囲】
【請求項１】
映像表示にかかる各種機能の分類を表す選択要素を並べて形成される上位階層となる分類選択要素群と、当該分類に対応する機能を表す選択要素を並べて形成される下位階層となる機能選択要素群との少なくとも２階層以上の構成であり、操作装置のキー操作によって任意の機能を表す選択要素を選択可能なメニュー画面を表示させるメニュー画面表示手段と、
前記上位階層において選択された視聴機能に対応する番組表表示機能が前記下位階層において選択された場合に表示される番組表において所定の番組が選択された場合に、前記上位階層において選択された視聴機能について予め選択された状態にしたボタンを含む操作画面を生成する画面生成手段と、
を備え、
前記画面生成手段は、前記上位階層において選択されなかった視聴機能についての選択ボタンも前記操作画面中に表示して選択可能とする、
映像表示装置。
【請求項２】
操作装置のキー操作によって映像表示にかかる任意の機能を表す選択要素を選択可能なメニュー画面を表示する映像表示装置におけるメニュー画面表示方法であって、
映像表示にかかる各種機能の分類を表す選択要素を並べて形成される上位階層となる分類選択要素群と、当該分類に対応する機能を表す選択要素を並べて形成される下位階層となる機能選択要素群との少なくとも２階層以上の構成の前記メニュー画面を表示させるメニュー画面表示工程と、
前記上位階層において選択された視聴機能に対応する番組表表示機能が前記下位階層において選択された場合に表示される番組表において所定の番組が選択された場合に、前記上位階層において選択された視聴機能について予め選択された状態にしたボタンを含む操作画面を生成する画面生成工程と、
を含み、
前記画面生成工程は、前記上位階層において選択されなかった視聴機能についての選択ボタンも前記操作画面中に表示して選択可能とする、
メニュー画面表示方法。
【発明の詳細な説明】
【技術分野】
【０００１】
本発明の実施形態は、映像表示装置およびメニュー画面表示方法に関する。
【背景技術】
【０００２】
近年、映像表示装置（例えば、デジタルテレビジョン等）は、多機能高機能化の傾向が著しく、これに伴い多種多様な各種のＡ／Ｖ（オーディオ・ビジュアル）機能が搭載可能になった。例えばテレビジョン放送番組の視聴および録画・再生機能に加え、内部若しくは外部の大容量記録媒体に映像、音楽等のコンテンツを格納し読み出して再生する機能、ネットワーク経由で提供される映像および音楽番組の再生機能等、各種のＡ／Ｖ機能を実現可能である。
【０００３】
このような多種多様な機能を扱う映像表示装置においては、ユーザインタフェース機能の一種として、各種機能を一覧表示するメニュー画面を表示させ、当該メニュー画面から所望する任意の機能をユーザに選択させるものがある。
【０００４】
また、ユーザインタフェース機能の使い勝手を向上させる技術として、例えばアイコンの形状、表示色等を変化させる技術や、一のダイレクトキーや複数のキーに対して機能を割り当てる技術などが存在する。
【先行技術文献】
【特許文献】
【０００５】
【特許文献１】特開２００９−１５４４０号公報
【発明の概要】
【発明が解決しようとする課題】
【０００６】
上記したような各種のＡ／Ｖ機能等、多種多様な機能を搭載可能な映像表示装置に於いては、多種多様な機能の中から所望する任意の機能をユーザが簡単な操作で容易に選択できるユーザインタフェース機能が要求される。
【０００７】
また、映像表示装置の多機能高機能化に伴い、映像表示装置を離れた位置から操作するリモートコントローラには数多くのダイレクトキーを配さなければならなくなっており、かつ、リモートコントローラ自体の操作も複雑化するという問題がある。
【０００８】
本発明は、上記に鑑みてなされたものであって、多種多様な機能の中から所望する任意の機能をユーザが簡単な操作で容易に選択できるユーザインタフェース機能を実現することを目的とする。
【課題を解決するための手段】
【０００９】
実施形態の映像表示装置は、映像表示にかかる各種機能の分類を表す選択要素を並べて形成される上位階層となる分類選択要素群と、当該分類に対応する機能を表す選択要素を並べて形成される下位階層となる機能選択要素群との少なくとも２階層以上の構成であり、操作装置のキー操作によって任意の機能を表す選択要素を選択可能なメニュー画面を表示させるメニュー画面表示手段と、前記上位階層において選択された視聴機能に対応する番組表表示機能が前記下位階層において選択された場合に表示される番組表において所定の番組が選択された場合に、前記上位階層において選択された視聴機能について予め選択された状態にしたボタンを含む操作画面を生成する画面生成手段と、を備え、前記画面生成手段は、前記上位階層において選択されなかった視聴機能についての選択ボタンも前記操作画面中に表示して選択可能とする。
【００１０】
また、実施形態のメニュー画面表示方法は、操作装置のキー操作によって映像表示にかかる任意の機能を表す選択要素を選択可能なメニュー画面を表示する映像表示装置におけるメニュー画面表示方法であって、映像表示にかかる各種機能の分類を表す選択要素を並べて形成される上位階層となる分類選択要素群と、当該分類に対応する機能を表す選択要素を並べて形成される下位階層となる機能選択要素群との少なくとも２階層以上の構成の前記メニュー画面を表示させるメニュー画面表示工程と、前記上位階層において選択された視聴機能に対応する番組表表示機能が前記下位階層において選択された場合に表示される番組表において所定の番組が選択された場合に、前記上位階層において選択された視聴機能について予め選択された状態にしたボタンを含む操作画面を生成する画面生成工程と、を含み、前記画面生成工程は、前記上位階層において選択されなかった視聴機能についての選択ボタンも前記操作画面中に表示して選択可能とする。
【図面の簡単な説明】
【００１１】
【図１】図１は、実施形態のデジタルテレビジョンの一例を示す外観斜視図である。
【図２】図２は、デジタルテレビジョンの信号処理系を示すブロック図である。
【図３】図３は、制御部が発揮する機能を示す機能ブロック図である。
【図４】図４は、リモートコントローラの外観を示す平面図である。
【図５】図５は、メニュー画面表示処理の流れを示すフローチャートである。
【図６】図６は、メニュー画面の一例を示す正面図である。
【図７】図７は、メニュー分類アイコン群とメニューアイコン群との関係を示す図である。
【図８】図８は、メニュー画面の一例を示す正面図である。
【図９】図９は、メニュー画面の一例を示す正面図である。
【図１０】図１０は、遷移の一例を示す模式図である。
【図１１】図１１は、遷移の一例を示す模式図である。
【図１２】図１２は、操作指定画面生成処理の流れを示すフローチャートである。
【図１３】図１３は、遷移の一例を示す模式図である。
【図１４】図１４は、遷移の一例を示す模式図である。
【図１５】図１５は、遷移の一例を示す模式図である。
【図１６】図１６は、遷移の一例を示す模式図である。
【発明を実施するための形態】
【００１２】
図１は、実施形態にかかる映像表示装置であるデジタルテレビジョン１の一例を示す外観斜視図である。図１に示すように、デジタルテレビジョン１は、前方から見た正面視（前面に対する平面視）で、長方形状の外観を呈している。デジタルテレビジョン１は、筐体２と、ＬＣＤ（Liquid  Crystal  Display）パネル３を備えている。ＬＣＤパネル３は、後述する映像処理部２０（図２参照）から映像信号を受け取り、静止画や動画等の映像を表示する。また、筐体２は、支持部４に支持されている。
【００１３】
図２は、デジタルテレビジョン１の信号処理系を示すブロック図である。図２に示すように、デジタルテレビジョン１は、アンテナ１２で受信したデジタルテレビジョン放送信号を、入力端子１３を介して受信手段であるチューナ部１４に供給することにより、所望のチャンネルの放送信号を選局することが可能になっている。デジタルテレビジョン１は、チューナ部１４で選局された放送信号を、復調復号部１５に供給してデジタルの映像信号及び音声信号等に復元した後、入力信号処理部１６に出力する。なお、本実施の形態のデジタルテレビジョン１においては、デジタルテレビジョン放送信号を受信する受信手段であるチューナを３台有している場合（２台は地上デジタル放送受信用のチューナＡ１４１、チューナＢ１４２、他の１台はＢＳ／ＣＳデジタル放送受信用のチューナＣ１４３）を例にとって説明する。
【００１４】
入力信号処理部１６は、復調復号部１５から供給されたデジタルの映像信号及び音声信号に対してそれぞれ所定のデジタル信号処理を施す。
【００１５】
また、入力信号処理部１６は、チューナ部１４で選局された放送信号から番組名、出演者、開始時刻などのイベント情報を記述したテーブルであるＥＩＴ（Event  Information  Table）を分離する。入力信号処理部１６で分離されたＥＩＴは、番組表データとして制御部２３に入力される。ＥＩＴには、番組にかかるイベント情報である番組のタイトル情報やジャンル情報、放送日時、出演者情報などの放送内容などの番組に関連する情報が含まれている。
【００１６】
また、入力信号処理部１６は、デジタルの映像信号を合成処理部１７に出力し、デジタルの音声信号を音声処理部１８に出力している。このうち、合成処理部１７は、入力信号処理部１６から供給されるデジタルの映像信号に、ＯＳＤ（On  Screen  Display）信号生成部１９で生成される字幕、ＧＵＩ（Graphical  User  Interface）、ＯＳＤなどの重畳用映像信号であるＯＳＤ信号を重畳して出力している。この場合、合成処理部１７は、入力信号処理部１６から供給される映像信号にＯＳＤ信号生成部１９から供給されたＯＳＤ信号をそのまま重畳して出力している。
【００１７】
デジタルテレビジョン１は、合成処理部１７から出力したデジタルの映像信号を、映像処理部２０に供給する。映像処理部２０は、入力されたデジタルの映像信号を、出力部として機能するＬＣＤパネル３で表示可能なフォーマットのアナログ映像信号に変換している。デジタルテレビジョン１は、映像処理部２０から出力されたアナログ映像信号を、ＬＣＤパネル３に供給して映像出力に供する。
【００１８】
音声処理部１８は、入力されたデジタルの音声信号を、後段のスピーカ２２で再生可能なフォーマットのアナログ音声信号に変換している。そして、この音声処理部１８から出力されたアナログ音声信号が、スピーカ２２に供給されることにより音声再生に供される。
【００１９】
図２に示すように、上述した合成処理部１７と音声処理部１８とＯＳＤ信号生成部１９と映像処理部２０とは、出力信号処理部２１を構成している。
【００２０】
ここで、デジタルテレビジョン１は、上記した各種の受信動作を含むその全ての動作を制御部２３によって統括的に制御している。この制御部２３は、ＣＰＵ（Central  Processing  Unit）２３ａを内蔵しており、デジタルテレビジョン１の本体に設置された操作装置である操作部２４からの操作情報を受けて、または、操作装置であるリモートコントローラ２５から送出され受信部２６で受信した操作情報を受けて、その操作内容が反映されるように各部をそれぞれ制御している。
【００２１】
また、制御部２３は、メモリ部２３ｂを内蔵している。メモリ部２３ｂは、主として、ＣＰＵ２３ａが実行する制御プログラムを格納したＲＯＭ（Read  Only  Memory）と、該ＣＰＵ２３ａに作業エリアを提供するためのＲＡＭ（Random  Access  Memory）と、各種の設定情報、制御情報及び操作部２４やリモートコントローラ２５からの操作情報等が格納される不揮発性メモリとを有している。
【００２２】
また、制御部２３には、ディスクドライブ部２７が接続されている。ディスクドライブ部２７は、例えばＤＶＤ（Digital  Versatile  Disk）等の光ディスク２８を着脱自在とするもので、装着された光ディスク２８に対してデジタルデータの記録再生を行なう機能を有している。
【００２３】
制御部２３は、視聴者による操作部２４やリモートコントローラ２５の操作に基づいて、復調復号部１５から得られるデジタルの映像信号及び音声信号を、記録再生処理部２９によって暗号化し所定の記録フォーマットに変換した後、ディスクドライブ部２７に供給して光ディスク２８に記録させるように制御することができる。
【００２４】
また、制御部２３は、視聴者による操作部２４やリモートコントローラ２５の操作に基づいて、ディスクドライブ部２７により光ディスク２８からデジタルの映像信号及び音声信号を読み出させ、上記記録再生処理部２９によって復号化した後、入力信号処理部１６に供給することによって、以後、上記した映像表示及び音声再生に供させるように制御することができる。
【００２５】
制御部２３には、ＨＤＤ（Hard  Disk  Drive）３０が接続されている。制御部２３は、視聴者による操作部２４やリモートコントローラ２５の操作に基づいて、復調復号部１５から得られるデジタルの映像信号及び音声信号を、記録再生処理部２９によって暗号化し所定の記録フォーマットに変換した後、ＨＤＤ３０に供給してハードディスク３０ａに記録させるように制御することができる。
【００２６】
また、制御部２３は、視聴者による操作部２４やリモートコントローラ２５の操作に基づいて、ＨＤＤ３０によりハードディスク３０ａからデジタルの映像信号及び音声信号を読み出させ、記録再生処理部２９によって復号化した後、入力信号処理部１６に供給することによって、以後、上記した映像表示及び音声再生に供させるように制御することができる。
【００２７】
また、ＨＤＤ３０は、ハードディスク３０ａに各種データを記憶することにより、番組表データベース（番組表ＤＢ）３０１およびメニュー情報データベース（メニュー情報ＤＢ）３０２として機能する。番組表データベース３０１は、制御部２３の制御によって、入力信号処理部１６で分離されたＥＩＴである番組表データを記憶する。メニュー情報データベース３０２は、後述するデジタルテレビジョン１が有している様々な機能に関連付けられたメニュー画面を構成するためのメニュー構成情報を記憶する。
【００２８】
さらに、デジタルテレビジョン１には、入力端子３１が接続されている。入力端子３１は、デジタルテレビジョン１の外部からデジタルの映像信号及び音声信号を直接入力するためのものである。この入力端子３１を介して入力されたデジタルの映像信号及び音声信号は、制御部２３の制御に基づいて、記録再生処理部２９を介した後、入力信号処理部１６に供給されて、以後、上記した映像表示及び音声再生に供される。
【００２９】
また、入力端子３１を介して入力されたデジタルの映像信号及び音声信号は、制御部２３の制御に基づいて、記録再生処理部２９を介した後、ディスクドライブ部２７による光ディスク２８に対しての記録再生や、ＨＤＤ３０によるハードディスク３０ａに対しての記録再生に供される。
【００３０】
なお、制御部２３は、視聴者による操作部２４やリモートコントローラ２５の操作に基づいて、ディスクドライブ部２７とＨＤＤ３０との間で、光ディスク２８に記録されているデジタルの映像信号及び音声信号をハードディスク３０ａに記録したり、ハードディスク３０ａに記録されているデジタルの映像信号及び音声信号を光ディスク２８に記録したりすることも制御している。
【００３１】
また、制御部２３には、ネットワークインタフェース３２が接続されている。このネットワークインタフェース３２は、入出力端子３３を介して外部のネットワーク３４に接続されている。そして、このネットワーク３４には、当該ネットワーク３４を介した通信機能を利用して各種のサービスを提供するためのネットワークサーバ３５，３６が接続されている。このため、制御部２３は、ネットワークインタフェース３２、入出力端子３３及びネットワーク３４を介して、所望のネットワークサーバ３５，３６にアクセスして情報通信を行なうことにより、そこで提供しているサービスを利用することができるようになっている。なお、ネットワークインタフェース３２は、入出力端子３３を介してＳＤメモリーカードやＵＳＢ機器が接続されるものであっても良い。
【００３２】
制御部２３は、ＣＰＵ２３ａが制御プログラムに従って動作することによって、図３に示すように、メニュー画面表示手段として機能するメニュー画面表示処理部２３１と、リモートコントロール処理部２３２と、ネットワーク処理部２３３と、番組表処理部２３４と、画面生成手段として機能する操作指定画面生成部２３５とを実現する。
【００３３】
ネットワーク処理部２３３は、入出力端子３３を介して外部のネットワーク３４に接続されているネットワークインタフェース３２を通じた通信を制御する。ネットワーク３４には、当該ネットワーク３４を介した通信機能を利用して各種のサービスを提供するための複数（図示の場合は２つ）のネットワークサーバ３５，３６が接続されている。このため、ネットワーク処理部２３３は、ネットワークインタフェース３２、入出力端子３３及びネットワーク３４を介して、所望のネットワークサーバ３５，３６にアクセスして情報通信を行なうことにより、そこで提供しているサービスを利用することができるようになっている。
【００３４】
番組表処理部２３４は、入力信号処理部１６で分離されたＥＩＴ（番組表データ）を取得して番組表データベース３０１に格納する。なお、ＥＩＴ（番組表データ）をネットワーク３４経由で取得するものであっても良い。ＥＩＴ（番組表データ）の取得先は、デジタルテレビジョン１のユーザ設定に従う。番組表処理部２３４は、ＥＩＴ（番組表データ）のキーワード検索機能を有しており、指定のキーワードと指定の一致率でＥＩＴ（番組表データ）を検索し、合致した番組に絞り込んで番組表データを番組表データベース３０１に供給することができる。
【００３５】
リモートコントロール処理部２３２は、リモートコントローラ２５から送出され受信部２６で受信したリモートコントロールコードに基づいて、電源オン／オフ、後述するメニュー選択、チューナ切替やチャンネル切替（チャンネルを繰り返し切り替えるような所謂ザッピング操作を含む）を入力信号処理部１６に指示する。なお、制御部２３は、デジタルテレビジョン１の本体に設置された操作部２４からの操作情報を受けても、その操作内容が反映されるように各部をそれぞれ制御する。
【００３６】
例えば、制御部２３は、視聴者による操作部２４やリモートコントローラ２５の操作に基づいて、復調復号部１５から得られるデジタルの映像信号及び音声信号を、記録再生処理部２９によって暗号化し所定の記録フォーマットに変換した後、ＨＤＤ３０に供給してハードディスク３０ａに記録させるように制御することができる。
【００３７】
メニュー画面表示処理部２３１は、リモートコントローラ２５から送出され受信部２６で受信したリモートコントロールコード（メニュー選択に対応した移動信号）に基づいてメニュー情報データベース３０２からメニュー構成情報を取得して、ＧＵＩであるメニュー画面データを作成し、ＯＳＤ信号生成部１９に送る。
【００３８】
操作指定画面生成部２３５は、例えば番組表データベース３０１に記憶されている番組表データから作成された番組表Ｘ（図１１参照）が表示された状態において、番組表Ｘ中の「番組」が選択された場合に、当該「番組」に応じた操作指定画面Ｙ（図１３〜１６参照）を生成し、ＯＳＤ信号生成部１９に送る。
【００３９】
すなわち、出力信号処理部２１は、入力信号処理部１６から送られる映像音声データと、メニュー画面表示処理部２３１で作成されたメニュー画面データ、操作指定画面生成部２３５で生成された操作指定画面Ｙおよび音声データを結合処理したのち、映像出力および音声出力にそれぞれのデータを送る。
【００４０】
図４は、リモートコントローラ２５の外観を示す平面図である。図４に示すように、リモートコントローラ２５には、主として、電源キー２５ａ、数字キー２５ｃ、チャンネルアップダウンキー２５ｄ、音量調整キー２５ｅ、カーソル上キー２５ｆ、カーソル下キー２５ｇ、カーソル左キー２５ｈ、カーソル右キー２５ｉ、決定キー２５ｊ、戻るキー２５ｌ、終了キー２５ｍ、４色（青，赤，緑，黄）のカラーキー２５ｎ等が設けられている。なお、カーソル上キー２５ｆ、カーソル下キー２５ｇ、カーソル左キー２５ｈ、カーソル右キー２５ｉは、いわゆる十字キー２５ｚとして形成されている。
【００４１】
また、リモートコントローラ２５には、再生停止キー２５ｏ、再生キー２５ｐ、逆方向スキップキー２５ｑ、順方向スキップキー２５ｒ、早戻しキー２５ｓ、早送りキー２５ｔ、一時停止キー２５ｕ等が設けられている。
【００４２】
すなわち、デジタルテレビジョン１は、ディスクドライブ部２７やＨＤＤ３０から取得した映像や音声等の情報に対しては、リモートコントローラ２５の再生停止キー２５ｏや再生キー２５ｐ、一時停止キー２５ｕを操作することにより、再生、停止、一時停止を行なうことが可能となる。また、デジタルテレビジョン１は、リモートコントローラ２５の逆方向スキップキー２５ｑや順方向スキップキー２５ｒを操作することにより、ディスクドライブ部２７やＨＤＤ３０で再生している映像や音声等の情報を、その再生方向に対して逆方向や順方向に一定量ずつスキップさせる、いわゆる、逆方向スキップや順方向スキップを行なうことができる。さらに、デジタルテレビジョン１は、リモートコントローラ２５の早戻しキー２５ｓや早送りキー２５ｔ等を操作することにより、ディスクドライブ部２７やＨＤＤ３０で再生している映像や音声等の情報を、その再生方向に対して逆方向や順方向に連続的に高速で再生させる、いわゆる、早戻し再生や早送り再生を行なうことができる。
【００４３】
また、リモートコントローラ２５には、メニューキー２５ｂ、ブロードバンドキー２５ｋ、今すぐニュースキー２５ｖ、録画リストキー２５ｗ、番組表キー２５ｘ、ミニ番組表キー２５ｙが設けられている。
【００４４】
メニューキー２５ｂは、詳細は後述するが、デジタルテレビジョン１が有している様々な機能のメニュー画面を表示させるためのキーである。
【００４５】
ブロードバンドキー２５ｋは、情報検索や動画サービス等のブロードバンド機能の各種ブラウザを起動するためのキーである。今すぐニュースキー２５ｖは、ＨＤＤ３０に自動録画された最新のニュースを見るためのキーである。録画リストキー２５ｗは、ＨＤＤ３０に録画した番組を見たり消したりするための録画リストを表示するためのキーである。なお、録画リストからネットワークサーバ３５，３６に記憶された動画の再生も可能である。
【００４６】
番組表キー２５ｘは、番組の視聴・録画・予約を行わせるために番組表Ｘを表示させるためのキーである。ミニ番組表キー２５ｙは、番組が表示された画面の下側に、番組の視聴・録画・予約を行わせるためにミニ番組表を表示させるためのキーである。
【００４７】
次に、映像表示装置であるデジタルテレビジョン１の特徴的な機能を発揮するメニュー画面表示処理部２３１におけるメニュー画面表示処理について詳述する。
【００４８】
まず、メニュー画面表示処理部２３１におけるメニュー画面表示処理について図５のフローチャートを参照して説明する。
【００４９】
図５に示すように、制御部２３（メニュー画面表示処理部２３１）は、ユーザによるリモートコントローラ２５のメニューキー２５ｂの選択操作があったと判定すると（ステップＳ１のＹｅｓ）、メニュー画面を表示するためのメニュー画面表示情報をメニュー構成情報に基づいて生成し、出力信号処理部２１に出力する。これに対応して、出力信号処理部２１は、メニュー画面表示情報をＬＣＤパネル３へ出力し、その結果、ＬＣＤパネル３は、図６に示すようなメニュー画面Ｍ１を表示する（ステップＳ４）。
【００５０】
メニュー画面Ｍ１は、コンテンツ（例えば動画）の再生画面Ｃに重さねられて表示される。コンテンツは、チューナ部１４を介して受信しているコンテンツであってもよいし、ＨＤＤ３０に記憶されたコンテンツ等であってもよい。
【００５１】
図６に示すように、メニュー画面Ｍ１は、コンテンツの再生画面Ｃの下部に、様々なサイズで表示された上位階層（第１階層）であってメニュー分類を表すアイコン（選択要素）で形成されるメニュー分類アイコン群（分類選択要素群）ＩＡと、各メニュー分類に対応する機能を表すアイコン（選択要素）で形成される下位階層（第２階層）である複数のメニューアイコン群（機能選択要素群）ＩＢとを含んでいる。なお、メニュー画面Ｍ１は、コンテンツの再生画面Ｃと区別してアイコンを見易くするために、メニュー分類アイコン群ＩＡおよびメニューアイコン群ＩＢの背景ＢＧを暗色で形成している。なお、選択要素は、アイコンに限るものではなく、メニュー分類や各メニュー分類に対応する機能を表すものであれば、他の画像や文字等であっても良い。
【００５２】
ここで、図７は上位階層（第１階層）であるメニュー分類アイコン群ＩＡと、下位階層（第２階層）であるメニューアイコン群ＩＢとの関係を示す図である。
【００５３】
メニュー分類アイコン群ＩＡは、例えば、「ブロードバンド」アイコン５０、「録る」アイコン６０、「見る」アイコン７０、「メディアプレーヤー」アイコン８０、「入力切換」アイコン９０を含んでいる。
【００５４】
「ブロードバンド」アイコン５０は、例えば複数のネットワークサービスに対応した複数のネットワークアプリケーション（ブラウザ）を起動するためのメニュー分類を表すショートカットアイコンである。
【００５５】
「録る」アイコン６０は、コンテンツを録画・予約するためのメニュー分類を表すショートカットアイコンである。
【００５６】
「見る」アイコン７０は、コンテンツを視聴するためのメニュー分類を表すショートカットアイコンである。
【００５７】
「メディアプレーヤー」アイコン８０は、例えばＳＤメモリーカード、ＵＳＢ機器、ネットワークサーバ３５，３６等に記憶された動画・写真・音楽の再生に対応した複数の再生アプリケーションを起動するためのメニュー分類を表すショートカットアイコンである。
【００５８】
「入力切換」アイコン９０は、入力端子３１を切り換えるためのメニュー分類を表すショートカットアイコンである。
【００５９】
例えば図６に示すメニュー分類アイコン群ＩＡにおいては、前回操作において選択された「見る」アイコン７０が選択中となっており、選択中の「見る」アイコン７０は第１のサイズを更に拡大して表示されるとともに背景を明るくした強調表示とされ、選択中アイコンの左隣に位置する２番目の選択候補（非選択中）の「ブロードバンド」アイコン５０は第１のサイズより小さい第２のサイズで表示され、選択中アイコンの右隣に位置する２番目の選択候補（非選択中）の「録る」アイコン６０も第１のサイズより小さい第２のサイズで表示され、２番目の選択候補アイコンの右隣に位置する３番目の選択候補（非選択中）の「メディアプレーヤー」アイコン８０は第２のサイズよりさらに小さい第３のサイズで表示され、２番目の選択候補アイコンの左隣に位置する３番目の選択候補（非選択中）の「入力切換」アイコン９０も第２のサイズよりさらに小さい第３のサイズで表示される。なお、前回操作において選択されたアイコンを選択中としたのは、ユーザは同じ操作をする確率が高く、これにより多種多様な機能の中から所望する任意の機能をユーザが簡単な操作で容易に選択することができるようになっている。なお、前述したように、操作部２４やリモートコントローラ２５からの操作情報は、不揮発性メモリに格納されている。
【００６０】
図６に示すメニューアイコン群ＩＢは、メニュー分類アイコン群ＩＡにおいて「見る」アイコン７０が選択されている例を示すものである。「見る」アイコン７０の選択中においては、メニューアイコン群ＩＢとして、「録画リスト」アイコン７１、「番組表」アイコン７２、「ミニ番組表」アイコン７３、「今すぐニュース」アイコン７４を含んでいる。
【００６１】
「録画リスト」アイコン７１は、ＨＤＤ３０に録画した番組を見たり消したりするための録画リストを表示するためのアイコンであって、録画リストキー２５ｗと同じ機能を有している。
【００６２】
「番組表」アイコン７２は、番組の視聴・録画・予約を行わせるために番組表Ｘを表示させるためのアイコンであって、番組表キー２５ｘと同じ機能を有している。
【００６３】
「ミニ番組表」アイコン７３は、コンテンツの再生画面Ｃの下側に、番組の視聴・録画・予約を行わせるためにミニ番組表を表示させるためのアイコンであって、ミニ番組表キー２５ｙと同じ機能を有している。
【００６４】
「今すぐニュース」アイコン７４は、ＨＤＤ３０に自動録画された最新のニュースを見るためのアイコンであって、ニュースキー２５ｖと同じ機能を有している。
【００６５】
例えば図６に示すメニューアイコン群ＩＢにおいては、前回操作において選択された「番組表」アイコン７２は第１のサイズで表示され、前回選択のアイコンの右隣に位置する２番目の選択候補（非選択中）の「ミニ番組表」アイコン７３は第１のサイズより小さい第２のサイズで表示され、前回選択のアイコンの左隣に位置する２番目の選択候補（非選択中）の「録画リスト」アイコン７１も第１のサイズより小さい第２のサイズで表示され、２番目の選択候補アイコンの右隣に位置する３番目の選択候補（非選択中）の「今すぐニュース」アイコン７４は第２のサイズよりさらに小さい第３のサイズで表示される。
【００６６】
図６に示すメニュー画面Ｍ１においては、リモートコントローラ２５の十字キー２５ｚにおけるカーソル左キー２５ｈまたはカーソル右キー２５ｉの操作によって（ステップＳ５のＮｏ、ステップＳ６のＹｅｓ）、メニュー分類アイコン群ＩＡのアイコンのフォーカス先を移動することができる（ステップＳ７）。具体的には、リモートコントローラ２５は、十字キー２５ｚの操作（メニュー選択）に対応した移動信号（リモートコントロールコード）を出力する。リモートコントロール処理部２３２は、移動信号を受信し、メニュー画面表示処理部２３１は、移動信号に基づきアイコンのフォーカス先の移動を制御する。
【００６７】
図８は、リモートコントローラ２５の十字キー２５ｚにおけるカーソル左キー２５ｈの操作によって、フォーカス先を図６に示した「見る」アイコン７０から「ブロードバンド」アイコン５０に移動させたものである。図８に示すように新たに選択された「ブロードバンド」アイコン５０は第１のサイズを更に拡大して表示されるとともに背景を明るくした強調表示とされる。
【００６８】
また、図８に示すように、メニュー分類アイコン群ＩＡにおいて「ブロードバンド」アイコン５０の選択中においては、メニューアイコン群ＩＢとして、「ヤッホーＪＡＰＡＮ」アイコン５１、「トビラ」アイコン５２、「ひかりテレビ」アイコン５３、「チューブ」アイコン５４、「インターネット」アイコン５５を含んでいる。なお、「ブロードバンド」アイコン５０については計７個のメニューが対応付けられているが、メニュー画面表示処理部２３１は、メニューアイコン群ＩＢの表示数（ここでは、“５”とする）内で計７個のメニューをサイクリック表示する。
【００６９】
また、図６に示すメニュー画面Ｍ１においては、リモートコントローラ２５の十字キー２５ｚにおけるカーソル上キー２５ｆの操作によって（ステップＳ５のＮｏ、ステップＳ６のＹｅｓ）、メニュー分類アイコン群ＩＡからメニューアイコン群ＩＢのアイコンへフォーカス先を移動することができる（ステップＳ７）。
【００７０】
図９は、リモートコントローラ２５の十字キー２５ｚにおけるカーソル上キー２５ｆの操作によって、フォーカス先を図６に示した「見る」アイコン７０からメニューアイコン群ＩＢの「番組表」アイコン７２に移動させたものである。図９に示すように新たに選択された「番組表」アイコン７２は第１のサイズを更に拡大して表示されるとともに背景を明るくした強調表示とされる。また、「見る」アイコン７０は、第１のサイズに縮小されて表示されるとともに背景をやや明るくした表示とされる。
【００７１】
加えて、制御部２３（メニュー画面表示処理部２３１）は、ユーザによるリモートコントローラ２５のブロードバンドキー２５ｋである第１階層のダイレクトキーの選択操作に対応して（ステップＳ２のＹｅｓ）、メニュー画面を表示するためのメニュー画面表示情報をメニュー構成情報に基づいて生成し、出力信号処理部２１に出力する（ステップＳ９）。この場合、ブロードバンドキー２５ｋは、情報検索や動画サービス等のブロードバンド機能の各種ブラウザを起動するためのキーであり、図７に示した第１階層の特定機能を表すものである。すなわち、リモートコントローラ２５のブロードバンドキー２５ｋの選択操作により、制御部２３（メニュー画面表示処理部２３１）は、図８に示したようなメニュー画面Ｍ１を表示するメニュー画面表示情報を生成する。ブロードバンドキー２５ｋの選択操作により表示されるメニュー画面Ｍ１は、図８に示すように、「ブロードバンド」アイコン５０が第１のサイズを更に拡大して表示されるとともに背景を明るくした強調表示とされる。
【００７２】
図１０は、メニューキー２５ｂおよび十字キー２５ｚによる１階層目の特定の機能への遷移とダイレクトキーによる１階層目の特定の機能への遷移との一例を示す模式図である。
【００７３】
図９に示したように第２階層のメニューアイコンが選択された状態のメニュー画面Ｍ１において、リモートコントローラ２５の決定キー２５ｊが操作されると（ステップＳ５のＹｅｓ）、フォーカスのあたっているアイコンの機能の起動が指示される（ステップＳ８）。図９においては、「番組表」アイコン７２にフォーカスが当たっているので、出力信号処理部２１は、番組表データベース３０１に記憶されている番組表データに基づく番組表ＸをＬＣＤパネル３に表示する。
【００７４】
なお、図９に示したように第２階層のメニューアイコンが選択された状態のメニュー画面Ｍ１において、第１階層のメニュー分類アイコン群ＩＡのメニュー分類の選択に戻りたい場合には、リモートコントローラ２５の十字キー２５ｚにおけるカーソル下キー２５ｇを操作すればよい（ステップＳ６のＹｅｓ）。
【００７５】
加えて、制御部２３は、ユーザによるリモートコントローラ２５の今すぐニュースキー２５ｖ、録画リストキー２５ｗ、番組表キー２５ｘ、ミニ番組表キー２５ｙなど第２階層のダイレクトキーの選択操作に対応して（ステップＳ３のＹｅｓ）、各キーに対応する機能の起動を指示する（ステップＳ１０）。この場合、今すぐニュースキー２５ｖ、録画リストキー２５ｗ、番組表キー２５ｘ、ミニ番組表キー２５ｙなどは、各キーに対応する機能の起動を指示するためのキーであり、図７に示した第２階層の特定機能を表すものである。例えば、リモートコントローラ２５の番組表キー２５ｘの選択操作により、出力信号処理部２１は、番組表データベース３０１に記憶されている番組表データに基づく番組表ＸをＬＣＤパネル３に表示する。
【００７６】
図１１は、メニューキー２５ｂおよび十字キー２５ｚによる２階層目の特定の機能への遷移とダイレクトキーによる２階層目の特定の機能への遷移との一例を示す模式図である。
【００７７】
ところで、図７に示すように、第１階層である「録る」メニュー分類と「見る」メニュー分類との両方において、第２階層である「番組表」メニューを含んでいる。そこで、本実施形態においては、「見る」アイコン７０から「番組表」メニューが選択された場合と「録る」アイコン６０から「番組表」メニューが選択された場合とでは、番組表Ｘから番組が選択された後の操作指定画面Ｙの態様が異なるものとなっている。
【００７８】
次に、映像表示装置であるデジタルテレビジョン１の特徴的な機能を発揮する操作指定画面生成部２３５における操作指定画面生成処理について図１２のフローチャートを参照して説明する。
【００７９】
図１２に示すように、操作指定画面生成部２３５は、「見る」アイコン７０から「番組表」メニューが選択されて番組表Ｘが表示された状態で（ステップＳ１１のＹｅｓ）、「現在の番組」が選択された場合（ステップＳ１２のＹｅｓ）、図１３に示すような「見る」ボタンＢ１が選択された状態の操作指定画面Ｙを生成し（ステップＳ１３）、出力信号処理部２１に出力する。
【００８０】
また、操作指定画面生成部２３５は、「録る」アイコン６０から「番組表」メニューが選択されて番組表Ｘが表示された状態で（ステップＳ１１のＮｏ）、「現在の番組」が選択された場合（ステップＳ１５のＹｅｓ）、図１４に示すような「録画する」ボタンＢ２が選択された状態の操作指定画面Ｙを生成し（ステップＳ１６）、出力信号処理部２１に出力する。
【００８１】
また、操作指定画面生成部２３５は、「見る」アイコン７０から「番組表」メニューが選択されて番組表Ｘが表示された状態で（ステップＳ１１のＹｅｓ）、「未来の番組」が選択された場合（ステップＳ１２のＮｏ）、図１５に示すような「視聴予約」ボタンＢ３が選択された状態の操作指定画面Ｙを生成し（ステップＳ１４）、出力信号処理部２１に出力する。
【００８２】
また、操作指定画面生成部２３５は、「録る」アイコン６０から「番組表」メニューが選択されて番組表Ｘが表示された状態で（ステップＳ１１のＮｏ）、「未来の番組」が選択された場合（ステップＳ１５のＮｏ）、図１６に示すような「録画予約」ボタンＢ４が選択された状態の操作指定画面Ｙを生成し（ステップＳ１７）、出力信号処理部２１に出力する。
【００８３】
このように実施形態の映像表示装置であるデジタルテレビジョン１によれば、映像表示にかかる各種機能の分類を表すアイコンを並べて形成される上位階層となる分類アイコン群ＩＡと、当該分類に対応する機能を表すアイコンを並べて形成される下位階層となるアイコン群ＩＢとの少なくとも２階層以上の構成であり、操作装置のキー操作によって任意の機能を表すアイコンを選択可能なメニュー画面Ｍ１を表示することにより、多種多様な機能の中から所望する任意の機能を階層化されたメニュー画面Ｍ１からユーザが簡単な操作で容易に選択できるユーザインタフェース機能を実現することができるとともに、上位階層のアイコンにより表される機能分類のいずれかに割り付けられた操作装置におけるダイレクトキーから信号を受信した場合、当該ダイレクトキーに割り付けられた機能分類を表すアイコンが選択された状態のメニュー画面Ｍ１を表示するようにしたことにより、従来のようにダイレクトキーによる操作に慣れたユーザにとっても機能を容易に選択できるユーザインタフェース機能を実現することができる。
【００８４】
また、実施形態の映像表示装置であるデジタルテレビジョン１によれば、下位階層のアイコンにより表される機能のいずれかに割り付けられた操作装置におけるダイレクトキーから信号を受信した場合、当該ダイレクトキーに割り付けられた機能の起動を指示するようにしたことにより、従来のようにダイレクトキーによる操作に慣れたユーザにとっても機能を容易に選択できるユーザインタフェース機能を実現することができる。
【００８５】
さらに、実施形態の映像表示装置であるデジタルテレビジョン１によれば、メニュー画面Ｍ１の分類アイコン群ＩＡにおける異なるアイコンからの遷移によって起動された同一の機能における画面態様を、分類に応じて異ならせた操作指定画面Ｙを生成することにより、操作指定画面Ｙからユーザが簡単な操作で容易に選択できるユーザインタフェース機能を実現することができる。
【００８６】
なお、本実施形態の映像表示装置であるデジタルテレビジョン１で実行される制御プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。
【００８７】
さらに、本実施形態の映像表示装置であるデジタルテレビジョン１で実行される制御プログラムを、インターネット等のネットワークに接続されたコンピュータ上に格納し、ネットワーク経由でダウンロードさせることにより提供するように構成しても良い。また、本実施形態の映像表示装置であるデジタルテレビジョン１で実行される制御プログラムをインターネット等のネットワーク経由で提供または配布するように構成しても良い。
【００８８】
本実施形態の映像表示装置であるデジタルテレビジョン１で実行されるプログラムは、上述した各部（メニュー画面表示処理部２３１、リモートコントロール処理部２３２、ネットワーク処理部２３３、番組表処理部２３４、操作指定画面生成部２３５）を含むモジュール構成となっており、実際のハードウェアとしてはＣＰＵ（プロセッサ）が上記ＲＯＭから制御プログラムを読み出して実行することにより上記各部が主記憶装置上にロードされ、メニュー画面表示処理部２３１、リモートコントロール処理部２３２、ネットワーク処理部２３３、番組表処理部２３４、操作指定画面生成部２３５がＲＡＭ上に生成されるようになっている。
【００８９】
また、本実施形態では、映像表示装置としてデジタルテレビジョン１に適用した例をあげて説明したが、例えば、ＨＤＤレコーダ、チューナ、セットトップボックス等にも映像出力装置を適用することができる。
【００９０】
なお、本発明は、上記実施形態そのままに限定されるものではなく、実施段階ではその要旨を逸脱しない範囲で構成要素を変形して具体化することができる。また、上記実施形態に開示されている複数の構成要素の適宜な組み合わせにより、種々の発明を形成することができる。例えば、実施形態に示される全構成要素からいくつかの構成要素を削除してもよい。さらに、異なる実施形態にわたる構成要素を適宜組み合わせても良い。
【符号の説明】
【００９１】
１        映像表示装置
２４、２５    操作装置
２５ｋ    上位階層のダイレクトキー
２５ｖ、２５ｗ、２５ｘ、２５ｙ    下位階層のダイレクトキー
２３１    メニュー画面表示手段
２３５    画面生成手段
ＢＧ      分類アイコン群およびアイコン群の背景
ＩＡ      分類アイコン群
ＩＢ      アイコン群
Ｍ１      メニュー画面
【図１】
0005221812.tif 000002
【図２】
0005221812.tif 000003
【図３】
0005221812.tif 000004
【図４】
0005221812.tif 000005
【図５】
0005221812.tif 000006
【図６】
0005221812.tif 000007
【図７】
0005221812.tif 000008
【図８】
0005221812.tif 000009
【図９】
0005221812.tif 000010
【図１０】
0005221812.tif 000011
【図１２】
0005221812.tif 000012
【図１１】
0005221812.tif 000013
【図１３】
0005221812.tif 000014
【図１４】
0005221812.tif 000015
【図１５】
0005221812.tif 000016
【図１６】
0005221812.tif 000017